(57)【要約】【課題】  汎用性が高く、使い勝手が良いブラシを提供すること。【解決手段】  複数のブラシ毛２ａとブラシ毛保持部２ｃとを有するブラシ部材２と、ブラシ部材２を挟持して保持するクリップ３であって、ブラシ部材２を挟持する一対の挟持板部４と連結板部５とを有するクリップ本体６と、摘まみ部材７とを備えたクリップ３と、クリップ本体６の内方に形成される空間部９に着脱自在に設けられると共に、一対の挟持板部４によって挟持されたブラシ部材２のブラシ毛保持部２ｃと当接するように設けられ、ブラシ部材２の位置ずれを規制するスペーサ部材８と、を備える。そのため、クリップ３によってブラシ部材２を挟持し直すだけで、用途に応じた他の種類のブラシに容易に交換・変更することができる。【選択図】  図５
2017170084.tif 000002
【特許請求の範囲】
【請求項１】
複数のブラシ毛と、当該複数のブラシ毛を保持するブラシ毛保持部とを有するブラシ部材と、
前記ブラシ部材を挟持して保持するクリップであって、弾性力を有する薄板を側面視が略二等辺三角形となるように折曲してなり、当該二等辺三角形の二等辺部分を形成するように配置され且つ当該二等辺三角形の頂点側の先端部が互いに近接する側に付勢されることにより前記ブラシ部材を挟持する一対の挟持板部と、前記二等辺三角形の底辺部分を形成するように配置されると共に前記一対の挟持板部の他端部を連結する連結板部とを有するクリップ本体と、前記一対の挟持板部の先端部に一端部を連結されると共に当該一対の挟持板部に沿って当該先端部から前記連結板部に向かって延び、他端部に外力を付与されることによって当該一対の挟持板部の先端部同士を離反させる摘まみ部材とを備えたクリップと、
前記クリップ本体の内方に形成される空間部に着脱自在に設けられると共に、前記一対の挟持板部によって挟持された前記ブラシ部材の前記ブラシ毛保持部と当接するように設けられ、当該ブラシ部材の位置ずれを規制するスペーサ部材と、
を備えることを特徴とするブラシ。
【請求項２】
前記スペーサ部材は、作業者が把持する把持部材の一部又は電動治具の一部を係止する係止部を備えることを特徴とする請求項１に記載のブラシ。
【請求項３】
前記スペーサ部材は、前記ブラシ部材の前記ブラシ毛保持部を係止する係止溝部を備えることを特徴とする請求項１又は２に記載のブラシ。
【請求項４】
前記スペーサ部材の前記係止溝部は複数であることを特徴とする請求項３に記載のブラシ。
【請求項５】
作業者が把持する把持部材の端部に前記クリップの前記連結板部が固定されていることを特徴とする請求項１又は３に記載のブラシ。
【請求項６】
前記電動治具は、回転軸の駆動により回転可能に構成された円盤であり、前記クリップを装着するクリップ装着穴を当該円盤の周縁部に沿って複数備え、
前記クリップ装着穴には、前記ブラシ部材の前記ブラシ毛が略垂直方向又は略水平方向に向けた状態で前記クリップが装着されることを特徴とする請求項２から請求項４のいずれか一つに記載のブラシ。
【請求項７】
複数の前記係止溝部には、前記ブラシ毛の素材が異なる複数種類の前記ブラシ部材が係止されていることを特徴とする請求項４に記載のブラシ。
【請求項８】
前記把持部材の一部は、手動式の歯ブラシが有する柄の後端部であることを特徴とする請求項２に記載のブラシ。
【発明の詳細な説明】
【技術分野】
【０００１】
本発明は、事務用クリップを用いたブラシであって、汎用性が高く、使い勝手の良いブラシに関するものである。
【背景技術】
【０００２】
従来のブラシは、所定素材のブラシ毛を金属製金具や樹脂・木製の柄等に取り付けて構成されていることが多い。例えば、金属加工（バリ取り・研削・研磨加工）時に使用される金属製のブラシ毛は、溶接や半田付け等で金具等に強固に取り付けられているため、ブラシ毛が摩耗したり、別の種類のブラシ毛を使用したい場合には、柄を含むブラシ全体を交換する必要があった。
また、工場や家庭内等においては、洗浄や磨き等の用途によっては、使用済みの歯ブラシが利用されることも多かった。しかし、歯ブラシは、本来、歯磨き用に設計・製作されているため、歯磨き以外の用途には汎用性が低く、ブラシ毛の種類や柄の形態によっては、使い勝手が悪かった。
そのため、ブラシ部分のみを交換可能なブラシ構造が提供されている（例えば、特許文献１参照）。
【０００３】
上記特許文献１に係るブラシは、ブラシの柄と、植毛座と、ブラシの毛とによって構成されたブラシにおいて、該ブラシの柄の上端縁には上面と左右の面が開口状に形成された嵌合溝を有する嵌合部を一体に形成し、該嵌合部の側壁の内面には対向するそれぞれの位置にスライド溝を形成し、かつブラシの柄の上端寄りの位置には弾性材料によって形成された押圧ブロックを嵌合する係合孔を穿設し、該植毛座の下端縁の外面には、長手方向に該スライド溝に対応するスライドレールを形成し、その中央の位置に切り欠き状の係合溝を形成し、該ブラシの毛は該植毛座の上端部に固定され、該植毛座を該柄の嵌合部の一端から挿入すると、嵌合部のスライド溝内を植毛座のスライドレールを滑動して所定の係合位置に至り、押圧ブロックと係合孔との係合作用によって柄と植毛座とが係合して固定されることを特徴とする。
【先行技術文献】
【特許文献】
【０００４】
【特許文献１】実用新案登録第３０７６４７１号公報
【発明の概要】
【発明が解決しようとする課題】
【０００５】
しかし、上記特許文献１に係る従来のブラシは、植毛部を自在に交換できるものの、専用の植毛座と専用の柄とを必要とするため、用途に応じた種々のブラシ毛を専用の植毛座に形成しなければならず、また、この植毛座に対応する専用の柄（把持部材）を用意しなければならなかった。そのため、高コストとなり易く、結局、用途が限定されてしまい、汎用性が低く、使い勝手が悪い、という課題があった。したがって、汎用性が高く、使い勝手が良いブラシの提供が望まれていた。
【０００６】
本発明は、汎用性が高く、使い勝手が良いブラシを提供することを目的とする。
【課題を解決するための手段】
【０００７】
本発明のブラシは、複数のブラシ毛と、当該複数のブラシ毛を保持するブラシ毛保持部とを有するブラシ部材と、前記ブラシ部材を挟持して保持するクリップであって、弾性力を有する薄板を側面視が略二等辺三角形となるように折曲してなり、当該二等辺三角形の二等辺部分を形成するように配置され且つ当該二等辺三角形の頂点側の先端部が互いに近接する側に付勢されることにより前記ブラシ部材を挟持する一対の挟持板部と、前記二等辺三角形の底辺部分を形成するように配置されると共に前記一対の挟持板部の他端部を連結する連結板部とを有するクリップ本体と、前記一対の挟持板部の先端部に一端部を連結されると共に当該一対の挟持板部に沿って当該先端部から前記連結板部に向かって延び、他端部に外力を付与されることによって当該一対の挟持板部の先端部同士を離反させる摘まみ部材とを備えたクリップと、前記クリップ本体の内方に形成される空間部に着脱自在に設けられると共に、前記一対の挟持板部によって挟持された前記ブラシ部材の前記ブラシ毛保持部と当接するように設けられ、当該ブラシ部材の位置ずれを規制するスペーサ部材と、を備えることを特徴とする。
【０００８】
また、本発明のブラシは、前記発明において、前記スペーサ部材は、作業者が把持する把持部材の一部又は電動治具の一部を係止する係止部を備えることを特徴とする。
【０００９】
また、本発明のブラシは、前記発明において、前記スペーサ部材は、前記ブラシ部材の前記ブラシ毛保持部を係止する係止溝部を備えることを特徴とする。
【００１０】
また、本発明のブラシは、前記発明において、前記スペーサ部材の前記係止溝部は複数であることを特徴とする。
【００１１】
また、本発明のブラシは、前記発明において、作業者が把持する把持部材の端部に前記クリップの前記連結板部が固定されていることを特徴とする。
【００１２】
また、本発明のブラシは、前記発明において、前記電動治具は、回転軸の駆動により回転可能に構成された円盤であり、前記クリップを装着するクリップ装着穴を当該円盤の周縁部に沿って複数備え、前記クリップ装着穴には、前記ブラシ部材の前記ブラシ毛が略垂直方向又は略水平方向に向けた状態で前記クリップが装着されることを特徴とする。
【００１３】
また、本発明のブラシは、前記発明において、複数の前記係止溝部には、前記ブラシ毛の素材が異なる複数種類の前記ブラシ部材が係止されていることを特徴とする。
【００１４】
また、本発明のブラシは、前記発明において、前記把持部材の一部は、手動式の歯ブラシが有する柄の後端部であることを特徴とする。
【発明の効果】
【００１５】
本発明によれば、汎用性が高く、使い勝手が良いブラシを提供することができる。
【図面の簡単な説明】
【００１６】
【図１】本発明の実施の形態１に係るブラシ１のブラシ部材２及びクリップ３を示す説明図である。
【図２】スペーサ部材８を示す斜視図である。
【図３】把持部材１０とその先端部に装着したスペーサ部材８とを示す正面図である。
【図４】スペーサ部材８の装着バリエーションを示す斜視図である。
【図５】本発明の実施の形態１に係るブラシ１を示す説明図である。
【図６】他のブラシ１Ａを示す正面図である。
【図７】２つのブラシ部材２をクリップ３で挟持した状態を示す側面図である。
【図８】本発明の実施の形態２に係るスペーサ部材８を示す斜視図である。
【図９】本発明の実施の形態２に係るブラシ１Ｂを示す側面図である。
【図１０】本発明の実施の形態２に係る他のブラシ１Ｂを示す側面図である。
【図１１】本発明の実施の形態３に係るスペーサ部材８を示す斜視図である。
【図１２】本発明の実施の形態３に係るブラシ１Ｃを示す側面図である。
【図１３】本発明の実施の形態３に係る２種類のブラシ部材２を備えたブラシ１Ｃを示す側面図である。
【図１４】本発明の実施の形態４に係るブラシ１Ｄを示す斜視図である。
【図１５】本発明の実施の形態４に係るブラシ１Ｅを示す斜視図である。
【図１６】本発明の実施の形態４に係るブラシ１Ｆを示す斜視図である。
【図１７】本発明の実施の形態５に係るブラシ１Ｇを示す正面図である。
【図１８】本発明の実施の形態６に係るブラシ１Ｈに使用する歯ブラシ１２を示す正面図である。
【図１９】本発明の実施の形態６に係るブラシ１Ｈを示す拡大図である。
【図２０】本発明の実施の形態６に係る他のブラシ毛２ａを有したブラシ１Ｈを示す拡大図である。
【図２１】本発明の実施の形態７に係るブラシ１Ｊを示す正面図である。
【図２２】本発明の実施の形態８に係る円盤１５を示す斜視図である。
【図２３】本発明の実施の形態８に係るカップブラシとしてのブラシ１Ｋを示す正面図である。
【図２４】本発明の実施の形態８に係るスクラッチブラシとしてのブラシ１Ｌを示す正面図である。
【発明を実施するための形態】
【００１７】
（実施の形態１）
以下、本発明の実施の形態１に係るブラシ１について図１〜図７を参照しながら詳細に説明する。図１は、本発明の実施の形態１に係るブラシ１のブラシ部材２及びクリップ３を示す説明図であり、（ａ）はブラシ部材２を示す斜視図、（ｂ）はブラシ部材２をクリップ３で挟持した状態を示す正面図、（ｃ）はブラシ部材２をクリップ３で挟持した状態を示す側面図である。図２は、スペーサ部材８を示す斜視図である。図３は、把持部材１０とその先端部に装着したスペーサ部材８とを示す正面図である。図４は、スペーサ部材８の装着バリエーションを示す斜視図である。図５は、本発明の実施の形態１に係るブラシ１を示す説明図であり、（ａ）はブラシ１を示す正面図、（ｂ）はブラシ１を示す部分側面図である。図６は、他のブラシ１Ａを示す正面図である。図７は、２つのブラシ部材２をクリップ３で挟持した状態を示す側面図である。
図５に示すように、本発明の実施の形態１に係るブラシ１は、ブラシ部材２と、ブラシ部材２を挟持して保持するクリップ３と、クリップ３の内方に装着されるスペーサ部材８と、を備える。
【００１８】
先ず、ブラシ１を構成するブラシ部材２について図１を参照しながら説明する。図１（ａ）に示すように、ブラシ部材２は、いわゆるチャンネルブラシとして構成されている。すなわち、ブラシ部材２は、複数のブラシ毛２ａと、二つ折り（逆Ｕ字状）にしたブラシ毛２ａの折り返し部分を束ねる芯材２ｂと、芯材２ｂによって束ねられたブラシ毛２ａを挟んで固定（かしめて固定）するブラシ毛保持部としてのチャンネル部材２ｃと、から構成されている。なお、チャンネル部材２ｃは、金属製が好ましく、その長手方向の両端部は、図１に示すように、開放されていてもよいが、閉塞されていてもよい（図示せず）。
【００１９】
ブラシ毛２ａの素材、線径、長さ、本数等は、ブラシ１を使用する対象物や用途に応じて適宜選択・設定される。例えば、ブラシ毛２ａの素材は、金属、樹脂、動物繊維、植物繊維、紙、ゴムのうちのいずれか一つの素材又はこれらの素材を二つ以上組み合わせてもよい。上記金属としては、例えば、鉄、銅、アルミニウム、チタン、ニッケル、クロム、及びこれらの合金等である。上記樹脂としては、周知の合成樹脂が好ましく、例えば、ナイロン（登録商標）等のポリアミド系樹脂、ポリプロピレン、ポリエチレン、ポリ塩化ビニル、ポリイミド、ポリマー、ポリエステル、ポリプラスティック、ピーク、芳香族ポリアミド系耐熱性繊維等である。上記動物繊維としては、例えば、人毛、馬毛、豚毛、羊毛、狸毛等である。上記植物繊維としては、例えば、パキン、パーム、バナナ等である。
【００２０】
また、上記紙としては、例えば、和紙、洋紙、厚紙、リサイクル用紙等が好ましい。紙ブラシ毛素材は、紙シートを一端から丸めて線状（棒状）とした後、捩じり、縒ることによって作製したブラシ毛素材である。
上記ゴムとしては、例えば、合成ゴムが好ましく、天然ゴムであってもよい。
【００２１】
なお、ブラシ毛２ａの素材として上記樹脂を用いる場合であって、用途がワーク等の研削や研磨である場合には、上記樹脂に、一種類又は二種類以上の砥粒を所定量混入することができる。ここで、砥粒の種類とは、砥粒の材質、硬度、形状、大きさ等が異なることを意味する。砥粒としては、例えば、ダイヤモンド、アルミナ、シリコン、酸化セリウム、ジルコニアのうちの一種類又は二種類以上を含んでいることが好ましい。
【００２２】
次に、クリップ３について図１（ｂ）及び（ｃ）を参照しながら説明する。図１（ｂ）及び（ｃ）に示すように、クリップ３は、ブラシ部材２を挟持して保持するものであり、事務用文具として市販されている、いわゆるダブルクリップである。すなわち、クリップ３は、弾性力を有する金属製の薄板（板バネ）を側面視が略二等辺三角形となるように折曲してなり、当該二等辺三角形の二等辺部分を形成するように配置され且つ当該二等辺三角形の頂点側の先端部４ａが互いに近接する側に付勢されることによりブラシ部材２を挟持する一対の挟持板部４と、二等辺三角形の底辺部分を形成するように配置されると共に一対の挟持板部４の他端部４ｂを連結する連結板部５とを有するクリップ本体６と、一対の挟持板部４の先端部４ａに一端部７ａを連結されると共に一対の挟持板部４に沿って先端部４ａから連結板部５に向かって延び、他端部７ｂに外力を付与されることによって一対の挟持板部４の先端部４ａ同士を離反させる金属製の摘まみ部材７とを備える。
【００２３】
挟持板部４の先端部４ａには、その左右両端縁部が筒状に形成された軸支部４ｃを有している。この軸支部４ｃに摘まみ部材７の一端部７ａが挿通され、回動自在に連結されている。この摘まみ部材７は、弾性を有する金属棒からなり、正面視で略Ω字形状に形成されている。
【００２４】
次に、スペーサ部材８について図２〜図５を参照しながら説明する。図２及び図５に示すように、スペーサ部材８は、クリップ本体６の内方に形成される空間部９（図１（ｃ）参照）に着脱自在に設けられると共に、一対の挟持板部４（図５参照）によって挟持されたブラシ部材２のチャンネル部材２ｃと当接するように設けられ、ブラシ部材２の位置ずれを規制するものである。すなわち、スペーサ部材８は、上記空間部９と略同様の断面形状を有し、クリップ本体６によるブラシ部材２の挟持を阻害することなくチャンネル部材２ｃと当接し、且つ、クリップ３にブラシ使用時の外力がある程度加わっても、把持部材１０に対するブラシ部材２（チャンネル部材２ｃ）及びクリップ３の相対姿勢が容易に変わらないようにしたものである。ここで、把持部材１０は、図３〜図５に示すように、例えば、金属棒を適宜折曲して形成されており、クリップ３を装着できるスペースが確保されていれば、これらの図示例に限らず、どのような形態であってもよい。
【００２５】
スペーサ部材８は、図２に示すように、上記空間部９（図１（ｃ）参照）の大きさ・形状に応じて種々の形態に形成することができる。図５に示すブラシ１においては、図２（ａ）に示したスペーサ部材８を用いている。
また、スペーサ部材８は、図２及び図３に示すように、作業者が把持する把持部材１０の一部（先端部）又は電動治具の一部（後述）を係止する係止部８ａを備える。この係止部８ａは、図２（ａ）及び（ｂ）に示すように、スペーサ部材８を貫通する貫通穴として形成され、又は図２（ｃ）及び（ｄ）に示すように、スペーサ部材８の一面に溝状に形成されている。スペーサ部材８の全体形状や係止部８ａの形状・寸法等は、対応する把持部材１０の一部の形状等に応じて適宜、設定・選択される。係止部８ａは、対応する把持部材１０の一部が嵌入できる寸法に形成されている。
【００２６】
また、スペーサ部材８は、図４に示すように、所定幅のもの（図４（ａ）参照）よりも幅広のもの（図４（ｂ）参照）を装着したり、把持部材１０に対して３方向に装着する等、種々の態様で提供してもよい。
以上のように構成されるスペーサ部材８は、例えば、ゴム、コルク、紙、金属、樹脂等を素材として形成することができる。
【００２７】
なお、把持部材１０は、上述の金属棒を適宜折曲して形成されたもの（図５参照）に限定されず、どのような形態であってもよい。例えば、図６に示すように、把持部材１０は、金属製又は樹脂製等の薄板によって形成された把持部材１０を備えたブラシ１Ａを提供することもできる。
この把持部材１０は、クリップ３を装着するためのスペースとして、矩形の貫通穴としての開口部１１を備えている。把持部材１０には、２種類のブラシ部材２，２ｄがクリップ３により装着されている。すなわち、一方のブラシ部材２は、幅広に形成され、２つのクリップ３によって把持部材１０の一部に装着されている。また、他方のブラシ部材２ｄは、Ｊ形に湾曲形成され、上記ブラシ部材２と略直交するように、ブラシ部材２の側方に配置されている。このように形成されたブラシ１Ａは、例えば、金属加工時の切り粉払い用のブラシとして使用することができる。
【００２８】
また、図７に示すように、クリップ３及びブラシ部材２のサイズによっては、ブラシ部材２を複数（例えば、２つ）挟持することができ、クリップ本体６の内方に空間部９（図１（ｃ）参照）が形成されない場合がある。このような場合には、上記スペーサ部材８を使用しなくてもよい。また、クリップ本体６の内方に空間部９（図１（ｃ）参照）が形成される場合であっても、クリップ３のみでブラシ部材２を強固に挟持でき、ブラシ１の使用時にブラシ部材２の位置ずれが生じるおそれがない場合には、上記スペーサ部材８を使用しなくてもよい。
【００２９】
次に、ブラシ１の使用方法を図１〜図５を参照しながら説明する。図１に示すように、クリップ本体６の内方に空間部９（図１（ｃ）参照）が形成される場合であっても、クリップ３のみでブラシ部材２を強固に挟持でき、ブラシ１の使用時にブラシ部材２の位置ずれが生じるおそれがない場合には、上記スペーサ部材８を装着せずに、クリップ３の摘まみ部材７を持ってブラシとして使用することができる。すなわち、例えば、洗面所、浴室、キッチン、トイレ等における汚れ落としや磨き、金属加工時等に生じる金属粉の掃除、金属製品等に生じた錆落とし等、種々の用途に用いることができる。また、クリップ３によってブラシ部材２を挟持し直すだけで、用途に応じた他の種類のブラシに容易に交換・変更することができる。
【００３０】
次に、スペーサ部材８及びクリップ３の使用方法について説明する。スペーサ部材８は、図３又は図４に示すように、対応する把持部材１０の一部に予め装着しておく。この装着は、例えば、嵌入（圧入）、接着、溶接、半田付け等により行うことができ、スペーサ部材８及び把持部材１０の材質や用途に応じて選択すればよい。
【００３１】
次に、クリップ３の摘まみ部材７を摘まんで操作し、一対の挟持板部４（図５参照）によってスペーサ部材８を挟持すると共に、ブラシ部材２を挟持する。このように、クリップ３及びスペーサ部材８を用いることにより、ブラシ部材２を把持部材１０に容易且つ迅速に取り付けることができると共に、ブラシ１の使用時にブラシ部材２の位置ずれを抑制することができる。また、ブラシ部材２を他のブラシ部材２に交換する場合にも、上記と同様の手順で行えばよい。
【００３２】
作業者は、以上のように構成されたブラシ１，１Ａの把持部材１０を把持し、例えば、洗面所、浴室、キッチン、トイレ等における汚れ落としや磨き、金属加工時等に生じる金属粉の掃除、金属製品等に生じた錆落とし等、種々の作業を行うことができる。
【００３３】
以上に説明した実施の形態１に係るブラシ１，１Ａによれば、以下に示す各効果が奏される。実施の形態１に係るブラシ１，１Ａは、複数のブラシ毛２ａとブラシ毛保持部２ｃとを有するブラシ部材２と、ブラシ部材２を挟持して保持するクリップ３であって、ブラシ部材２を挟持する一対の挟持板部４と、連結板部５とを有するクリップ本体６と、摘まみ部材７とを備えたクリップ３と、クリップ本体６の内方に形成される空間部９に着脱自在に設けられると共に、一対の挟持板部４によって挟持されたブラシ部材２のブラシ毛保持部２ｃと当接するように設けられ、ブラシ部材２の位置ずれを規制するスペーサ部材８と、を備える。
そのため、クリップ３によって、種々の形態の把持部材１０に対してブラシ部材２を装着することができ、また、用途に応じたブラシ毛２ａを有するブラシ部材２に、容易且つ迅速に交換できるため、わめて汎用性が高く、使い勝手が良い。
また、大量生産品の事務用文具であるクリップ３を利用してブラシ部材２を把持部材１０に装着しているため、低コストでブラシ１，１Ａを提供することができる。
更に、把持部材１０の形態によっては、スペーサ部材８を介在させないで、クリップ３のみによってブラシ部材２を把持部材１０に容易且つ迅速に装着することができる。そのため、きわめて汎用性が高く、使い勝手が良い。
また、スペーサ部材８は、クリップ本体６の内方に形成される空間部９に対して着脱自在に形成されているため、必要時に装着し、不要時に取り外すことができる。したがって、ブラシ１の用途バリエーションを広げることができる。
【００３４】
次に、本発明の他の実施形態について説明する。他の実施形態については、主として、実施の形態１とは異なる点を中心に説明し、実施の形態１と同様の構成については、同じ符号を付し、詳細な説明を省略する。他の実施の形態において特に説明しない点は、実施の形態１についての説明が適宜適用又は援用される。
【００３５】
（実施の形態２）
次に、本発明の実施の形態２に係るブラシ１Ｂについて図８〜図１０を参照しながら説明する。図８は、本発明の実施の形態２に係るスペーサ部材８を示す斜視図である。図９は、本発明の実施の形態２に係るブラシ１Ｂを示す側面図である。図１０は、本発明の実施の形態２に係る他のブラシ１Ｂを示す側面図である。
【００３６】
前記実施の形態１においては、スペーサ部材８はブラシ部材２を保持する機能を有していなかったが、本実施の形態２に係るブラシ１Ｂのスペーサ部材８は、ブラシ部材２を保持可能に構成されている。すなわち、スペーサ部材８は、図８及び図９に示すように、把持部材１０の一部（先端部）又は電動治具の一部（後述）を係止する係止部８ａを１つ備えると共に、ブラシ部材２のブラシ毛保持部２ｃを係止する係止溝部８ｂを更に１つ備える。
【００３７】
係止部８ａは、断面形状が略円形であり、上方に開口している。係止溝部８ｂは、ブラシ部材２のブラシ毛保持部２ｃが嵌入可能な形状（例えば、断面形状が略等脚台形）に形成され、下方に開口している。
スペーサ部材８は、例えば、ゴムやコルク等の弾性素材により形成されており、クリップ本体６を全開にしたときに、クリップ本体６の内方に形成される空間部９の大きさ・形状と略同一の大きさ・形状を有している。
【００３８】
以上のように構成されたスペーサ部材８は、クリップ本体６によって挟持されると、所定量圧縮されるため、係止部８ａ及び係止溝部８ｂの径が縮小する。そのため、把持部材１０の先端部が強固に係止されると共に、ブラシ部材２のブラシ毛保持部２ｃが容易且つ強固に係止（保持）される。
【００３９】
また、図１０に示すように、係止溝部８ｂには、ブラシ毛２ａの素材が異なる同一サイズのブラシ部材２を嵌入することもできる。このブラシ毛２ａの素材には、例えば、スポンジ、バフ、砥石、サンドペーパー等を用いることができる。そのため、スペーサ部材８を兼用して、種類の異なるブラシ部材２を容易に使用することができ、ブラシ１Ｂの用途バリエーションを広げることができる。
【００４０】
ブラシのその他の構成及び使用方法は、前記実施の形態１のブラシ１の場合と同様であるので、重複説明を省略する。
【００４１】
以上のように、実施の形態２のブラシ１Ｂによれば、前記実施の形態１のブラシ１と同様の効果が奏されると共に、以下に示す効果が奏される。
すなわち、実施の形態２のブラシ１Ｂのスペーサ部材８は、ブラシ部材２のブラシ毛保持部２ｃを係止する係止溝部８ｂを更に備える。そのため、ブラシ部材２のブラシ毛保持部２ｃを容易且つ強固に係止（保持）することができる。
【００４２】
（実施の形態３）
次に、本発明の実施の形態３に係るブラシ１Ｃについて図１１〜図１３を参照しながら説明する。図１１は、本発明の実施の形態３に係るスペーサ部材８を示す斜視図であり、（ａ）は、３つの係止溝部８ｂを有するものを示し、（ｂ）は、２つの係止溝部８ｂを有するものを示している。図１２は、本発明の実施の形態３に係るブラシ１Ｃを示す側面図である。図１３は、本発明の実施の形態３に係る２種類のブラシ部材２を備えたブラシ１Ｃを示す側面図である。
【００４３】
前記実施の形態２においては、スペーサ部材８が１つの係止溝部８ｂを備えるものとして説明したが、本実施の形態３のスペーサ部材８においては、複数の係止溝部８ｂを備える点が異なる。すなわち、本実施の形態３のスペーサ部材８は、図１１（ａ）及び図１２に示すように、把持部材１０の一部（先端部）を係止する係止部８ａを１つ備えると共に、ブラシ部材２のブラシ毛保持部２ｃを係止する係止溝部８ｂを３つ備える。係止部８ａ及び係止溝部８ｂの形状は、前記実施の形態２の場合と同様である。
【００４４】
なお、図１１（ｂ）に示すように、スペーサ部材８は、用途に応じて、２つの係止溝部８ｂを備えるものであってもよい。また、係止部８ａは、その断面形状が略矩形で、上方に開口してもよい。
【００４５】
上記のように構成されたスペーサ部材８の３つの係止溝部８ｂには、図１２に示すように、同種のブラシ毛２ａを有するブラシ部材２がそれぞれ嵌入されている。また、図１３に示すように、異種のブラシ毛２ａを有するブラシ部材２を、３つの係止溝部８ｂのうちのいずれかに嵌入してもよい。ブラシ毛２ａの種類や配設位置は、用途に応じて適宜選定・設定される。例えば、図１３においては、スペーサ部材８の中央に樹脂製又は金属製のブラシ毛２ａが配置され、このブラシ毛２ａの両側に，他の種類のブラシ毛２ａが配置されている。この他の種類のブラシ毛２ａの素材には、用途に応じて、樹脂又は金属と異なる周知の素材を用いることができるが、例えば、スポンジ、バフ、砥石、サンドペーパー等を用いることができる。
【００４６】
ブラシ１Ｃのその他の構成及び使用方法は、前記実施の形態１のブラシの場合と同様であるので、重複説明を省略する。
【００４７】
以上のように、実施の形態３に係るブラシ１Ｃによれば、前記実施の形態１のブラシ１と同様の効果が奏されると共に、以下に示す効果が奏される。
すなわち、実施の形態３に係るブラシ１Ｃのスペーサ部材８は、複数の係止溝部８ｂを備える。そのため、これら複数の係止溝部８ｂに複数のブラシ部材２を設けることができ、より多くの毛量が必要な場合に特に効果的であり、ブラシ１Ｃの用途バリエーションを広げることができる。
また、複数の係止溝部８ｂに、ブラシ毛２ａの素材が異なる複数種類のブラシ部材２を係止することができる。そのため、ブラシ１Ｃの用途バリエーションを更に広げることができる。
【００４８】
（実施の形態４）
次に、本発明の実施の形態４に係るブラシ１Ｄ，１Ｅ，１Ｆについて図１４〜図１６を参照しながら説明する。図１４は、本発明の実施の形態４に係るブラシ１Ｄを示す斜視図である。図１５は、本発明の実施の形態４に係るブラシ１Ｅを示す斜視図である。図１６は、本発明の実施の形態４に係るブラシ１Ｆを示す斜視図である。
【００４９】
前記実施の形態１〜３のブラシ１，１Ａ，１Ｂ，１Ｃにおいては、スペーサ部材８を装着した使用態様を示したが、本発明の実施の形態４に係るブラシ１Ｄ，１Ｅ，１Ｆにおいては、図１４〜図１６に示すように、スペーサ部材８を取り外した使用態様を示している。すなわち、把持部材１０の一部としての装着軸１０ａの形状・大きさ、ブラシ部材２の大きさ及びクリップ本体６の大きさによっては、スペーサ部材８を使用しなくても、ブラシ部材２を装着軸１０ａに強固に装着できる場合があるため、それらの使用態様を例示したものである。もちろん、前記実施の形態１〜３で示したスペーサ部材８を必要とする場合には、前記した要領にてスペーサ部材８をクリップ本体６内に介在させて、ブラシ部材２を装着軸１０ａに装着することができる。
【００５０】
図１４に示すように、ブラシ１Ｄは、直線状のブラシ部材２を、把持部材１０の装着軸１０ａに１つのクリップ３を用いて装着して構成されている。また、図１５に示すように、ブラシ１Ｅは、先端部がＪ型に湾曲したブラシ部材２を、把持部材１０の装着軸１０ａに１つのクリップ３を用いて装着して構成されている。また、図１６に示すように、ブラシ１Ｆは、先端部がＪ型に湾曲したブラシ部材２を、把持部材１０からの延びる２本の装着軸１０ａに、１つのクリップ３を用いてそれぞれ装着して構成されている。
なお、上記ブラシ１Ｄ，１Ｅ，１Ｆにおいて、ブラシ部材２にかかる負荷が大きい用途に使用する場合には、クリップ３を複数にしたり、更に幅広のクリップ（図示せず）を用いてもよい。
【００５１】
以上のように、実施の形態４に係るブラシ１Ｄ，１Ｅ，１Ｆによれば、前記実施の形態１のブラシ１と同様の効果が奏されると共に、以下に示す効果が奏される。すなわち、実施の形態４に係るブラシ１Ｄ，１Ｅ，１Ｆは、スペーサ部材８を使用しなくても、ブラシ部材２を把持部材１０の装着軸１０ａに容易に装着して使用することができ、種々の使用態様に幅広く対応することができる。また、ブラシ部材２にかかる負荷の大きさに応じて、装着するクリップ３の数を増やすことにより、容易に対応することができる。
【００５２】
（実施の形態５）
次に、本発明の実施の形態５に係るブラシ１Ｇについて図１７を参照しながら説明する。図１７は、本発明の実施の形態５に係るブラシ１Ｇを示す正面図である。
前記実施の形態１〜４のブラシ１，１Ａ，１Ｂ，１Ｃ，１Ｄ，１Ｅ，１Ｆにおいては、クリップ３と把持部材１０とが別体に構成されていたが、本発明の実施の形態５に係るブラシ１Ｇは、クリップ３と把持部材１０とが一体的に構成されている点が異なる。
すなわち、図１７に示すように、ブラシ１Ｇは、作業者が把持する把持部材１０の両端部にクリップ３の連結板部５が固定されている。把持部材１０は、例えば、金属パイプ又は金属棒にて形成されており、連結板部５と溶接や半田付け等により接合されている。また、上記２つのブラシ部材２は、ブラシ毛２ａの素材が同種であってもよいし、異種であってもよい。
【００５３】
なお、ここでは、把持部材１０の両端部にクリップ３の連結板部５が固定されている態様を示したが、これに限定されず、把持部材１０のいずれか一方の端部にクリップ３の連結板部５が固定されていてもよい。また、把持部材１０は、作業者が把持できる形態であれば、どのような形状の部材であってもよく、板状の部材であってもよい。
【００５４】
以上のように、実施の形態５に係るブラシ１Ｇによれば、前記実施の形態１のブラシ１と同様の効果が奏されると共に、以下に示す効果が奏される。
すなわち、実施の形態５に係るブラシ１Ｇは、作業者が把持する把持部材１０の両端部にクリップ３の連結板部５が固定され、把持部材１０とクリップ３とが一体的に構成されている。そのため、把持部材１０及びクリップ３を一部材として取り扱うことができ、把持部材１０とクリップ３とを個別に準備したり保管する必要がなく、きわめて扱い易い。
また、把持部材１０の両端部に、異種素材のブラシ毛２ａを有したブラシ部材２を同時に装着することができ、種々の使用態様に幅広く対応することができる。
【００５５】
（実施の形態６）
次に、本発明の実施の形態６に係るブラシ１Ｈについて図１８〜図２０を参照しながら説明する。図１８は、本発明の実施の形態６に係るブラシ１Ｈに使用する歯ブラシ１２を示す正面図である。図１９は、本発明の実施の形態６に係るブラシ１Ｈを示す拡大図である。図２０は、本発明の実施の形態６に係る他のブラシ毛２ａを有したブラシ１Ｈを示す拡大図である。
図１８〜図２０に示すように、実施の形態６に係るブラシ１Ｈは、既存の手動式の歯ブラシ１２が有する柄（把持部材）１３の後端部１３ａに、クリップ３を用いてブラシ部材２を装着したものである。図１８中の符号１２ａは、歯ブラシ１２が有するブラシ毛を示している。
【００５６】
更に詳しくは、図１９に示すブラシ１Ｈは、先端部がＪ型に湾曲したブラシ部材２を、柄１３の後端部１３ａに１つのクリップ３を用いて装着して構成されている。このブラシ部材２のブラシ毛２ａは、歯ブラシ１２が有するブラシ毛１２ａの素材と異なる素材であることが好ましく、上述した樹脂又は金属を用いることができる。
【００５７】
また、図２０に示すブラシ１Ｈは、他の種類のブラシ毛２ａを有した直線状のブラシ部材２を、柄１３の後端部１３ａに１つのクリップ３を用いて装着して構成されている。この他の種類のブラシ毛２ａの素材には、用途に応じて、上記樹脂又は金属と異なる周知の素材を用いることができるが、例えば、スポンジ、バフ、砥石、サンドペーパー等を用いることができる。
【００５８】
なお、本実施の形態６においては、スペーサ部材８を使用しない態様を示したが、前記実施の形態１〜３で示したスペーサ部材８を必要とする場合には、前記した要領にてスペーサ部材８をクリップ本体６内に介在させて、ブラシ部材２を柄１３の後端部１３ａに装着することができる。
【００５９】
以上のように、実施の形態６に係るブラシ１Ｈによれば、前記実施の形態１のブラシと同様の効果が奏されると共に、以下に示す効果が奏される。
すなわち、実施の形態６に係るブラシ１Ｈは、既存の手動式の歯ブラシ１２が有する柄１３の後端部１３ａに、クリップ３を用いてブラシ部材２を装着して構成されている。そのため、歯ブラシ１２のブラシ毛１２ａを利用できると共に、このブラシ毛１２ａと異なる素材のブラシ毛２ａを有したブラシ部材２を容易に装着して利用することができる。特に、既存の歯ブラシ１２の柄１３を利用することにより、上述した把持部材１０が不要となるため、汎用性がきわめて高く、且つ、低コスト化を実現できる。
【００６０】
（実施の形態７）
次に、本発明の実施の形態７に係るブラシ１Ｊについて図２１を参照しながら説明する。図２１は、本発明の実施の形態７に係るブラシ１Ｊを示す正面図である。
図２１に示すように、本実施の形態７に係る図中の矢印で示す左右方向に往復動可能なシャフト（電動治具の一部）１４に、例えば１０個のクリップ３及びスペーサ部材８を用いて長尺状の１本のブラシ部材２を装着して構成されている。
シャフト１４は、丸棒、角棒、あるいは板状部材であってもよい。また、ブラシ部材２は、長尺状の１本のものではなく、例えば、クリップ３の幅と略同程度の幅を有するブラシ部材２（図１（ｂ）参照）を横一列に多数並べて装着してもよい。
【００６１】
このように構成されたブラシ１Ｊは、従来、液晶ガラスの洗浄等に用いられていたロールブラシに代えて用いることができる。この液晶ガラス洗浄用のロールブラシは、一般に大型であり、ブラシ毛の先端が洗浄面にわずかに当たる程度で用いられていた。しかし、そのような用途であるならば、大型のロールブラシは不要であり、本発明の小型且つ軽量なブラシ１Ｊで十分に所望の洗浄ができる。そのため、本発明によれば、装置全体の小型・軽量化に資することができる。
【００６２】
なお、本実施の形態７においては、スペーサ部材８を使用する態様を示したが、ブラシ部材２をクリップ３のみで強固に装着できる場合には、スペーサ部材８を使用しなくてもよい。
【００６３】
以上のように、実施の形態７に係るブラシ１Ｊによれば、前記実施の形態１のブラシ１と同様の効果が奏されると共に、以下に示す効果が奏される。
すなわち、実施の形態７に係るブラシ１Ｊは、左右方向に往復動可能なシャフト１４に、複数のクリップ３及びスペーサ部材８を用いて長尺状の１本のブラシ部材２を装着して構成されている。そのため、きわめて簡易且つ軽量な構成で、従来のロールブラシと同様の洗浄機能を発揮することができる。したがって、装置全体の小型・軽量化に資することができる。
【００６４】
（実施の形態８）
次に、本発明の実施の形態８に係るブラシ１Ｋ，１Ｌについて図２２〜図２４を参照しながら説明する。図２２は、本発明の実施の形態８に係る円盤１５を示す斜視図である。図２３は、本発明の実施の形態８に係るカップブラシとしてのブラシ１Ｋを示す正面図である。図２４は、本発明の実施の形態８に係るスクラッチブラシとしてのブラシ１Ｌを示す正面図である。なお、図示の都合上、図２４においては、一部の摘まみ部材７の図示を省略している。
【００６５】
図２２に示すように、電動治具としての円盤１５は、回転軸１６の駆動により回転可能に構成されている。この円盤１５は、中心に回転軸１６を装着するための回転軸装着穴１５ｂを備え、クリップ３を装着するクリップ装着穴１７を当該円盤１５の周縁部１５ａに沿って複数（例えば、図示例では１６個）備えている。
このクリップ装着穴１７には、図２３に示すように、ブラシ部材２のブラシ毛２ａが略垂直方向に向けた状態でクリップ３が装着され、カップブラシとして構成されている。また、このクリップ装着穴１７には、図２４に示すように、ブラシ部材２のブラシ毛２ａが略水平方向に向けた状態でクリップ３を装着することもでき、いわゆるスクラッチブラシとして構成されている。
このように構成されたブラシ１Ｋ，１Ｌは、回転軸１６の回転数を、従来のカップブラシ等の場合よりも低く設定して使用されることが好ましい。
【００６６】
なお、円盤１５の周縁部１５ａの形状・大きさ、ブラシ部材２の大きさ及びクリップ本体６の大きさによっては、スペーサ部材８を使用しなくても、ブラシ部材２を周縁部１５ａに強固に装着できる場合がある。このような場合には、スペーサ部材８を介さないで、ブラシ部材２を周縁部１５ａに装着してもよい。
【００６７】
以上のように、実施の形態８に係るブラシ１Ｋ，１Ｌによれば、前記実施の形態１のブラシ１と同様の効果が奏されると共に、以下に示す効果が奏される。
すなわち、ブラシ１Ｋ，１Ｌは、電動治具としての円盤１５であって、回転軸１６の駆動により回転可能に構成され、クリップ３を装着するクリップ装着穴１７を当該円盤１５の周縁部１５ａに沿って複数備えた円盤１５を備える。また、この円盤１５のクリップ装着穴１７には、ブラシ部材２のブラシ毛２ａが略垂直方向又は略水平方向に向けた状態でクリップ３が装着される。
そのため、ブラシ部材２の装着方向を変更するだけで、カップブラシとしてのブラシ１Ｋを容易に提供することができ、又はスクラッチブラシとしてのブラシ１Ｌを容易に提供することができる。これらのブラシ１Ｋ，１Ｌは、特に低速回転による加工用途への有用性が高い。
また、偏摩耗等したブラシ部材２のみをクリップ３の脱着により容易且つ迅速に交換できるため、メンテナンス性にもきわめて優れている。
【００６８】
以上、本発明の一実施形態について説明したが、本発明は、前述した実施の形態に制限されるものではなく、適宜変更が可能である。例えば、前記実施の形態１〜５に係るブラシ１，１Ａ，１Ｂ，１Ｃ，１Ｄ，１Ｅ，１Ｆ，１Ｇにおいては、図示例の把持部材１０について説明したが、これに制限されず、クリップ３を装着できれば、どのような形態であってもよい。
また、前記実施の形態１〜８においては、金属製のクリップ３について説明したが、所定の強度を有する素材であれば、金属以外の素材からなるクリップであってもよい。
【符号の説明】
【００６９】
１，１Ａ，１Ｂ，１Ｃ，１Ｄ，１Ｅ，１Ｆ，１Ｇ，１Ｈ，１Ｊ，１Ｋ，１Ｌ  ブラシ
２  ブラシ部材
２ａ  ブラシ毛
２ｂ  芯材
２ｃ，２ｄ  チャンネル部材（ブラシ毛保持部）
３  クリップ
４  挟持板部
４ａ  先端部
４ｂ  他端部
４ｃ  軸支部
５  連結板部
６  クリップ本体
７  摘まみ部材
７ａ  一端部
７ｂ  他端部
８  スペーサ部材
８ａ  係止部
８ｂ  係止溝部
９  空間部
１０  把持部材
１０ａ  装着軸
１１  開口部
１２  歯ブラシ
１３  柄（把持部材）
１３ａ  後端部
１４  シャフト（電動治具の一部）
１５  円盤（電動治具）
１５ａ  周縁部
１５ｂ  回転軸装着穴
１６  回転軸
１７  クリップ装着穴
【図１】
2017170084.tif 000003
【図２】
2017170084.tif 000004
【図３】
2017170084.tif 000005
【図４】
2017170084.tif 000006
【図５】
2017170084.tif 000007
【図６】
2017170084.tif 000008
【図７】
2017170084.tif 000009
【図８】
2017170084.tif 000010
【図９】
2017170084.tif 000011
【図１０】
2017170084.tif 000012
【図１１】
2017170084.tif 000013
【図１２】
2017170084.tif 000014
【図１３】
2017170084.tif 000015
【図１４】
2017170084.tif 000016
【図１５】
2017170084.tif 000017
【図１６】
2017170084.tif 000018
【図１７】
2017170084.tif 000019
【図１８】
2017170084.tif 000020
【図１９】
2017170084.tif 000021
【図２０】
2017170084.tif 000022
【図２１】
2017170084.tif 000023
【図２２】
2017170084.tif 000024
【図２３】
2017170084.tif 000025
【図２４】
2017170084.tif 000026